(57)【要約】【課題】  水処理器の設置箇所による水質等の違いに係る情報を水処理器での処理に有効に活用可能として、水処理器での水処理を効率よく行える水処理システムを提供する。【解決手段】  水処理器１０と通信可能な管理部で、水処理器１０の設置位置をあらかじめ把握した上で、様々な影響により変化する原水の水質について、水処理器設置位置を含む所定地域ごとの上水の水質に係る情報を含む、水質に影響を与えうる要素の情報を収集して、水処理の難易度の指標データを取得し、これを含む給水関連情報を水処理器１０に送信して、水処理器１０で原水からの実測で得られる情報と共に、この給水関連情報を踏まえて水処理を行うことで、原水の実際の水質を加味して水処理を進められ、水処理器で処理水として要求される水質の制御目標値に、実際の処理水の水質をできる限り近づけることができ、所望の水質の処理水を得やすい。【選択図】  図１
2018051497.tif 000002
【特許請求の範囲】
【請求項１】
使用者の使用に係る操作に基づいて、通水により流入した原水に対し所定の処理を施して得た処理水を供給する水処理器と、
所定のネットワークに接続して、少なくとも前記水処理器の設置位置と当該設置位置に基づく水処理器への給水関連情報を記録し蓄積するサービスを実行可能な管理部とを備え、
前記水処理器が、前記ネットワークに接続してデータを送受信可能とされる通信端末との通信、又は、前記管理部との前記ネットワークを通じた通信が可能な通信手段を有し、
前記管理部で記録する給水関連情報は、前記水処理器の設置位置を含む所定地域内で水処理器に原水として送給可能な上水についての水質に係る既知の情報に基づく、水処理器での水処理の難易度に関する指標データを少なくとも含み、
前記水処理器が、前記通信端末を介して又は直接、前記ネットワークを通じて管理部から水処理器に対応する前記給水関連情報を受信可能とされ、当該給水関連情報と、水処理器に内蔵された検出手段で前記原水又は原水由来の処理直前の水から取得した所定の実測情報とに基づいて、処理後の水質目標値を設定し、目標値を実現するように処理を実行することを
特徴とする水処理システム。
【請求項２】
前記請求項１に記載の水処理システムにおいて、
前記水処理器が、処理水供給の際に装置内で取り扱った内部情報の少なくとも一部を、前記通信端末を介して又は直接、前記ネットワークを通じて前記管理部に送信可能とされ、
前記管理部が、受信した水処理器の前記内部情報における原水の水質に係る情報に基づいて、前記水処理の難易度に関する指標データを調整することを
特徴とする水処理システム。
【請求項３】
前記請求項１又は２に記載の水処理システムにおいて、
前記管理部が、前記水処理器で処理した処理水の水質に係る情報を、使用者に入力操作された前記通信端末又は他の通信端末を介して受信し、前記受信した処理水の水質に係る情報に基づいて、前記水処理の難易度に関する指標データを調整することを
特徴とする水処理システム。
【請求項４】
前記請求項１又は２に記載の水処理システムにおいて、
前記水処理器が、処理水の水質を検出する処理後検出手段を有し、当該処理後検出手段で検出した処理水の水質に係る情報を、前記通信端末を介して又は直接、前記ネットワークを通じて前記管理部へ送信可能とされ、
前記管理部が、受信した処理水の水質に係る情報に基づいて、前記水処理の難易度に関する指標データを調整することを
特徴とする水処理システム。
【請求項５】
前記請求項１ないし４のいずれかに記載の水処理システムにおいて、
前記水処理器が、当該水処理器の設置位置を検出する測位手段を有し、当該測位手段で検出した設置位置の情報を、前記通信端末を介して又は直接、前記ネットワークを通じて前記管理部に送信可能とされ、
前記管理部が、受信した水処理器の設置位置の情報を水処理器ごとに記録することを
特徴とする水処理システム。
【請求項６】
前記請求項１ないし４のいずれかに記載の水処理システムにおいて、
前記通信端末が、当該通信端末の位置を検出する測位手段を有し、前記水処理器の通信手段と通信可能な位置に存在する状態で、前記測位手段で検出した端末位置の情報を、前記ネットワークを通じて前記管理部に送信可能とされ、
前記管理部が、受信した通信端末の位置情報を水処理器の設置位置の情報として水処理器ごとに記録することを
特徴とする水処理システム。
【発明の詳細な説明】
【技術分野】
【０００１】
本発明は、供給される原水を処理して所定の処理水を生成する水処理器において、外部の管理部より取得した原水の水質の情報を利用して水処理を実行可能とする水処理システムに関する。
【背景技術】
【０００２】
供給された水道水や井戸水等から有害物質等を除去して飲用に適した水を得る浄水器や、水道水等を電気分解してイオン水、すなわち飲用水として利用可能なアルカリ水と洗浄水等の非飲用に用いる酸性水とを生成するイオン整水器といった機器が、従来より広く用いられている。
【０００３】
こうした機器における電解水の生成において、電解処理の原水としては水道水が多く用いられるが、水道水は地域により電解しやすいものとそうでないものが存在するなど、水質差が比較的大きかった。このような地域による水道水の水質差は、電解水の水質が機器を使用する地域によって異なる結果をもたらすなど、機器に影響を与えることもあり、対策を必要とされていた。
【０００４】
こうした水の電解における原水の水質差の問題に対し、電解水を生成する機能を有する電解水放出装置において、地域による水道水質の差に対応して電解を実行するものが提案されている。このような地域による水質の差を考慮した従来の電解水生成機能を有する装置の例として、特開２０１０−９９６２９号公報に開示されるものがある。
【先行技術文献】
【特許文献】
【０００５】
【特許文献１】特開２０１０−９９６２９号公報
【発明の概要】
【発明が解決しようとする課題】
【０００６】
従来のイオン整水器等の水の電解を行う機器では、処理対象の原水となる水道水の水質が電解しにくい性質であると、機器購入時の設定のままでは適切に電解を行うことができない場合があった。こうした機器で、電解状態を調整可能なものも従来から存在しているが、使用者が適切に設定するのは難しく、また調整の操作は煩わしいものであった。
【０００７】
一方、水道水の電解において、前記特許文献１の装置のように、地域による水道水の水質の違いを反映させる機能を有するものもあったが、あらかじめ水処理器に格納された地域ごとの電解用データに基づいて電解状態を調整するものであった。これに対し、電解処理対象となる水道水の電解に係る水質は、天気や季節の変化による影響で変化したり、浄水場から使用箇所までの水道管路そのものの影響や管路系統に含まれる他の水道利用者の使用状況等によっても少なからず変化することから、固定された電解用データに基づくのみでは実際の水質に沿った適切な電解処理を行うことはできず、こうした手法をイオン整水器に適用することは難しいという課題を有していた。
【０００８】
本発明は前記課題を解消するためになされたもので、水処理器の設置箇所による水質等の違いに係る情報を水処理器での処理に有効に活用可能として、水処理器での水処理を効率よく行えると共に、水処理後の処理水の水質を所望の状態として処理水としての機能も適切に発揮させられる、水処理システムを提供することを目的とする。
【課題を解決するための手段】
【０００９】
本発明の開示に係る水処理システムは、使用者の使用に係る操作に基づいて、通水により流入した原水に対し所定の処理を施して得た処理水を供給する水処理器と、所定のネットワークに接続して、少なくとも前記水処理器の設置位置と当該設置位置に基づく水処理器への給水関連情報を記録し蓄積するサービスを実行可能な管理部とを備え、前記水処理器が、前記ネットワークに接続してデータを送受信可能とされる通信端末との通信、又は、前記管理部との前記ネットワークを通じた通信が可能な通信手段を有し、前記管理部で記録する給水関連情報は、前記水処理器の設置位置を含む所定地域内で水処理器に原水として送給可能な上水についての水質に係る既知の情報に基づく、水処理器での水処理の難易度に関する指標データを少なくとも含み、前記水処理器が、前記通信端末を介して又は直接、前記ネットワークを通じて管理部から水処理器に対応する前記給水関連情報を受信可能とされ、当該給水関連情報と、水処理器に内蔵された検出手段で前記原水又は原水由来の処理直前の水から取得した所定の実測情報とに基づいて、処理後の水質目標値を設定し、目標値を実現するように処理を実行するものである。
【００１０】
このように本発明の開示によれば、水処理器とを通信可能な管理部で、水処理器の設置位置をあらかじめ把握した上で、様々な影響により変化する原水の水質について、水処理器設置位置を含む所定地域ごとの上水の水質に係る情報を含む、水質に影響を与えうる要素の情報を収集して、水処理の難易度の指標データを取得し、これを含む給水関連情報を水処理器に送信して、水処理器で原水からの実測で得られる情報と共に、この給水関連情報を踏まえて水処理を行うことで、管理部で把握可能な範囲で種々の影響を受けて変化したと推測される原水の水質を加味して水処理を進められ、水処理器で処理水として要求される水質の制御目標値に、実際の処理水の水質をできる限り近づけることができ、所望の水質の処理水を得やすくなると共に、効率よく水処理を実行できる分、水処理のコストダウンが図れる。
【００１１】
また、本発明の開示に係る水処理システムは、前記水処理器が、処理水供給の際に装置内で取り扱った内部情報の少なくとも一部を、前記通信端末を介して又は直接、前記ネットワークを通じて前記管理部に送信可能とされ、前記管理部が、受信した水処理器の前記内部情報における原水の水質に係る情報に基づいて、前記水処理の難易度に関する指標データを調整するものである。
【００１２】
このように本発明の開示によれば、水処理器の内部情報を管理部にネットワークを通じて送信し、管理部でこの内部情報に基づいて水処理器に対応する給水関連情報を調整するようにし、内部情報における実測データと給水関連情報との差から、水処理器に導入される実際の原水の水質に係る難易度の指標データをより精度の高いものに調整して、新たに導入した給水関連情報に基づいて原水の水質に対応した電解処理を行えることとなり、水質の目標値に実際の処理水の状態をより近づけることができ、使用者の求める水質の処理水を適切に提供でき、使用者の安心感を高められると共に、水処理の信頼性を向上させられる。
【００１３】
また、本発明の開示に係る水処理システムは、前記管理部が、前記水処理器で処理した処理水の水質に係る情報を、使用者に入力操作された前記通信端末又は他の通信端末を介して受信し、前記受信した処理水の水質に係る情報に基づいて、前記水処理の難易度に関する指標データを調整するものである。
【００１４】
このように本発明の開示によれば、管理部から受信した給水関連情報を用いて水処理器が原水を処理した結果としての、処理水の水質に係る情報を、管理部がネットワークを通じて受信し、管理部でこの処理水の水質に係る情報に基づいて水処理器に対応する給水関連情報を調整するようにし、制御目標値と実際の処理水の水質との差に基づいて、水処理器に導入される原水に係る水処理の難易度の指標データをより精度の高いものとすることにより、水処理器では新たに導入した給水関連情報に基づいて、上水の水質に係る情報を取得した箇所から様々な影響により水処理器の設置位置に達するまでに変化しうる上水の水質に対し、この上水すなわち原水の水質に適応した電解処理を行って水処理を進められることとなり、処理水の水質の目標値に実際の処理水の状態をより近づけることができ、使用者の求める水質の処理水を適切に提供でき、使用者の安心感を高められると共に、水処理の信頼性を向上させられる。
【００１５】
また、本発明の開示に係る水処理システムは必要に応じて、前記水処理器が、処理水の水質を検出する処理後検出手段を有し、当該処理後検出手段で検出した処理水の水質に係る情報を、前記通信端末を介して又は直接、前記ネットワークを通じて前記管理部へ送信可能とされ、前記管理部が、受信した処理水の水質に係る情報に基づいて、前記水処理の難易度に関する指標データを調整するものである。
【００１６】
このように本発明の開示によれば、管理部から受信した給水関連情報を用いて水処理器が原水を処理した結果としての、処理水の水質に係る情報を、水処理器の処理後検出手段で取得し、この情報を管理部に送信して、管理部でこの処理水の水質に係る情報に基づいて水処理器に対応する給水関連情報を調整するようにし、制御目標値と実際の処理水の水質との差に基づいて、水処理器に導入される原水に係る水処理の難易度の指標データをより精度の高いものとすることにより、水処理器では新たな給水関連情報に基づいて、原水の水質に適応した電解処理を行って水処理を進められ、処理水の水質の目標値に実際の処理水の状態をより近づけることができ、使用者の求める水質の処理水を適切に提供できる。また、処理水の水質が自動的に検出されることで、使用者の水処理器の処理水についての測定や測定結果の入力送信に係る作業の手間が省け、使用者が処理水の水質測定を積極的に行わないような場合でも、水処理器に供給される原水の水質を正しく給水関連情報に反映させられ、より確実に適切な処理水を供給することができる。
【００１７】
また、本発明の開示に係る水処理システムは必要に応じて、前記水処理器が、当該水処理器の設置位置を検出する測位手段を有し、当該測位手段で検出した設置位置の情報を、前記通信端末を介して又は直接、前記ネットワークを通じて前記管理部に送信可能とされ、前記管理部が、受信した水処理器の設置位置の情報を水処理器ごとに記録するものである。
【００１８】
このように本発明の開示によれば、水処理器が装置自体の設置位置を測位手段で検出し、位置情報を管理部に送信可能とされ、位置情報を管理部が水処理器ごとの位置情報として記録することにより、使用者の水処理器の位置登録に係る作業の手間が省けると共に、転居等で設置位置が変わった場合でも自動的に位置情報が管理部に送信されて、管理部における水処理器の位置情報が更新され、使用者の水処理器の設置位置再登録を必要とせず、誤った位置情報が残る状況が生じる確率を減らして、水処理器の設置位置を含む地域の上水の水質を正しく給水関連情報に反映させられ、より確実に適切な処理水を供給することができる。
【００１９】
また、本発明の開示に係る水処理システムは必要に応じて、前記通信端末が、当該通信端末の位置を検出する測位手段を有し、前記水処理器の通信手段と通信可能な位置に存在する状態で、前記測位手段で検出した端末位置の情報を、前記ネットワークを通じて前記管理部に送信可能とされ、前記管理部が、受信した通信端末の位置情報を水処理器の設置位置の情報として水処理器ごとに記録するものである。
【００２０】
このように本発明の開示によれば、水処理器近傍で水処理器と通信を行う通信端末の位置を通信端末の測位手段で検出し、位置情報を管理部に送信可能とされ、通信端末の位置情報を対応する水処理器の位置情報として管理部が水処理器ごとに記録することにより、使用者の水処理器の位置登録に係る作業の手間が省けると共に、水処理器に測位手段を設けずに済み、構造を簡略化して水処理器のコストを抑えられる。また、通信端末に元々備えられた測位機能を利用する場合は、管理部への送信の手間もそれほどかからず、使用者の作業負担を必要とせずに、水処理器の設置位置を含む地域の上水の水質を正しく給水関連情報に反映させられ、より確実に適切な処理水を供給することができる。
【図面の簡単な説明】
【００２１】
【図１】本発明の第１の実施形態に係る水処理システムのブロック図である。
【図２】本発明の第１の実施形態に係る水処理システムにおける水処理器の概略斜視図である。
【図３】本発明の第１の実施形態に係る水処理システムにおける水処理器の水処理系統概略構成図である。
【図４】本発明の第１の実施形態に係る水処理システムにおける水処理器の制御系統ブロック図である。
【図５】本発明の第１の実施形態に係る水処理システムにおける水処理器からの位置情報の流れ状態説明図である。
【図６】本発明の第１の実施形態に係る水処理システムにおける管理サーバで記録される給水関連情報の概略説明図である。
【図７】本発明の第１の実施形態に係る水処理システムにおける水処理器での水処理直前の情報の流れ状態説明図である。
【図８】本発明の第１の実施形態に係る水処理システムにおける水処理器の処理水生成状態での情報の流れ状態説明図である。
【図９】本発明の第１の実施形態に係る水処理システムにおける水処理器で処理した処理水の水質に係る情報の送信状態説明図である。
【図１０】本発明の第２の実施形態に係る水処理システムのブロック図である。
【図１１】本発明の第２の実施形態に係る水処理システムにおける携帯通信端末からの位置情報の流れ状態説明図である。
【図１２】本発明の第２の実施形態に係る水処理システムにおける水処理器での水処理直前の情報の流れ状態説明図である。
【図１３】本発明の第２の実施形態に係る水処理システムにおける水処理器の処理水生成状態での情報の流れ状態説明図である。
【図１４】本発明の第２の実施形態に係る水処理システムにおける水処理器で処理した処理水の水質に係る情報の送信状態説明図である。
【発明を実施するための形態】
【００２２】
（本発明の第１の実施形態）
以下、本発明の第１の実施形態に係る水処理システムを前記図１ないし図９に基づいて説明する。本実施形態においては、水処理器として、原水に対する電解処理によりアルカリ水等を生成する整水器を使用する例について説明する。
【００２３】
前記各図において本実施形態に係る水処理システム１は、使用者の使用に係る操作に基づいて処理水を供給する水処理器１０と、この水処理器１０の設置位置に基づく給水関連情報を、対応する水処理器１０にネットワーク１００を通じて提供する前記管理部としての管理サーバ５０とを備える構成である。
【００２４】
このうち、前記水処理器１０は、水道蛇口３０に接続されてこの水道蛇口３０を介して送給される原水としての水道水を導入する給水管１１と、ろ過手段を内蔵した交換可能な一又は複数の浄水カートリッジ１２ａを有して原水を浄化する浄水部１２と、この浄水部１２で浄化された水の流量を測定する流量センサ１３と、浄化された水に食塩を添加する食塩添加筒１４ａと、浄化された水にカルシウムを添加するカルシウム添加筒１４ｂと、流量センサ１３を経た水を食塩添加筒１４ａとカルシウム添加筒１４ｂのいずれに向わせるか切換える流路切替部１５と、複数の電極板１６ａ、１６ｂ、１６ｃを有して食塩添加筒１４ａ又はカルシウム添加筒１４ｂを通過した水の電解を行う電解槽１６と、使用に供する処理水を流す吐水流路１７ａと、使用に供さない水を排出する排出流路１７ｂと、吐出する処理水の情報や装置各部の作動状態等の表示を行う本体表示部１８と、本装置の起動、停止や各種処理水の生成等を指示する複数のスイッチを有して使用者の操作入力を受付ける操作部１９と、電気的に接続された各部を制御する制御部２０と、水処理器１０の設置位置を検出する測位手段としての測位部２５とを備える構成である。
【００２５】
この水処理器１０のうち、通水により流入した原水に対する水処理（電解）とそれにより得られる処理水（電解水）の供給に係る、給水管１１、浄水部１２、流量センサ１３、食塩添加筒１４ａ、カルシウム添加筒１４ｂ、流路切替部１５、電解槽１６、吐水流路１７ａ、及び排出流路１７ｂの各機構の構成については、処理水として、アルカリ水、酸性水、及び、浄水部で浄化されるだけで電解されない浄水を、それぞれ吐水供給可能な公知のイオン整水器と同様のものであり、詳細な説明を省略する。また、前記測位部２５は、ＧＰＳを利用して位置を検出する公知の装置であり、詳細な説明を省略する。
【００２６】
前記制御部２０は、操作部１９の操作や、あらかじめ記録設定された処理水の状態、また流量センサ１３等から得た情報に基づいて、流路切替部１５の切替、電解槽１６の各電極板１６ａ、１６ｂ、１６ｃへの電圧印加をそれぞれ行わせて、適切に処理水を生成、供給するための制御を行うものである。
【００２７】
この制御部２０は、そのハードウェア構成として、ＣＰＵや記憶部、入出力インターフェース等を備えるコンピュータとなっており、記憶部に格納されるプログラムにより、コンピュータを制御部２０として動作させる仕組みである。この制御部２０をなすコンピュータは、ＣＰＵや記憶部、ＲＯＭ等を一体的に形成されたマイクロコンピュータとしてもかまわない。
【００２８】
この制御部２０をなすコンピュータのユニットは、装置筐体１０ａ内部の所定のスペースに配設され、同じく内部の流量センサ１３、流路切替部１５をはじめとする電磁弁機構、及び、電解槽１６の各電極板１６ａ、１６ｂ、１６ｃに電圧を印加するための電源部１０ｂとそれぞれ電気的に接続され、制御信号を出力して各部の作動を制御する。加えて、制御部２０は、装置表面の本体表示部１８、及び操作部１９ともそれぞれ電気的に接続され、各種表示や、各スイッチ操作に対応した機能実行等の制御を行うこととなる。
【００２９】
制御部２０は、さらに、各処理水を特徴付ける水素イオン濃度の値など、処理水の性質に係るデータを格納する記憶部２１と、ルータ等のあらかじめネットワーク１００に通信可能に接続された所定の中継装置５５との間で通信を行い、中継装置５５を通じて管理サーバ５０の送信したデータを受信すると共に管理サーバ５０へデータを送信する、通信手段２２とを有するものである。
【００３０】
そして、制御部２０は、操作部１９で使用者により選択指示を受けた処理水、例えば、アルカリ水や酸性水等、の供給実行の際には、対応する処理水のデータを記憶部２１から読み出し、データに基づく制御信号を出力して、各機構、具体的には、流路切替部１５他の弁機構や電源部１０ｂ等を適宜作動させ、水の通過する流路の設定を行った上で、浄水部１２を通過した水の流量を把握すると共に、電解槽１６に入った水への通電に伴って水の電気伝導率や電解電流値等を取得して、これらの装置内実測データと管理サーバ５０からの給水関連情報に基づいて、設定された処理水の水質目標値（例えば、ｐＨなど）を実現するように、電解槽１６の各電極板１６ａ、１６ｂ、１６ｃへの所定電圧印加による電解状態の制御を行う。これにより、使用者の選択した処理水を生成して吐水流路１７ａを通じ供給可能としている。
【００３１】
また、制御部２０は、水処理器１０における処理水供給の実行に伴い、流量センサ１３で測定した水の流量や、水への通電に伴って取得した水の電気伝導率や電解電流値といった実測データを、設定された処理水の水質目標値などと共に、電解制御に係る内部情報として、管理サーバ５０に通信手段２２を通じて送信する仕組みを有する。さらに、制御部２０は、測位部２５で得た設置位置の情報を管理サーバ５０に通信手段２２を通じて送信する仕組みを有する。
【００３２】
なお、制御部２０は、内部情報として、本体表示部１８でも表示可能な、浄水部１２の浄水カートリッジが交換時期に達したことや、食塩添加筒１４ａの食塩やカルシウム添加筒１４ｂのカルシウム剤が補充時期に達したことなどを示す情報を、管理サーバ５０に送信可能とすることもできる。
【００３３】
前記記憶部２１は、各処理水の特徴に係るデータ、詳細には、例えば強アルカリ水はｐＨ１０．５、酸性水はｐＨ５．５、などの基本的な性質に関するデータを格納するものである。この記憶部２１を制御部２０が参照して、操作部１９からの操作指示入力に対応する処理水のデータを読出し、これに基づいて各部を制御することで処理水の生成、供給を実行可能としている。
【００３４】
前記通信手段２２は、水処理器１０の近くに設けられた中継装置５５との通信を可能にするもの（インタフェース）であり、この通信手段２２により中継装置５５を介して管理サーバ５０から送信された給水関連情報のデータを受信する。制御部２０は、この給水関連情報と原水についての実測により得たデータに基づいて、処理水生成に係る各種パラメータ（電圧、電流、通電時間等）を決定して電解制御を行うこととなる。
【００３５】
また、通信手段２２は、水処理器１０が処理水を生成、供給する際には、水処理に係る実測データ（流量、電気伝導率、電解電流値など）や供給した処理水の種類などを含む内部情報を管理サーバ５０に向け送信する。通信手段２２と中継装置５５との間の通信は、有線接続によるものの他、ISO/IEC 18092等の規格方式による近距離無線通信や、例えばIEEE 802.11シリーズやIEEE 802.15シリーズの規格方式等による無線通信として行うことができる。
【００３６】
前記管理サーバ５０は、ネットワーク１００に接続して、水処理器１０の設置位置に係る情報とこの設置位置を含む地域ごとの給水関連情報とを記録し蓄積すると共に、ネットワーク１００を通じて水処理器１０に対応する給水関連情報を送信するサービスを実行可能とされる構成である。
【００３７】
管理サーバ５０は、詳細には、ネットワーク１００を通じて水処理器１０から送信された水処理器１０の設置位置に係る情報を受信して、この位置情報を水処理器１０ごとに登録する。そして、管理サーバ５０は、この水処理器１０の設置位置に基づいて、設置位置を含む所定地域内で水処理器１０に原水として送給可能な上水（水道水）の水質に係る各種情報、例えば、上水供給元（水道事業者）や他の情報提供者の公表する水質検査データ等を、ネットワーク１００を通じてあらかじめ収集する。
【００３８】
さらに、管理サーバ５０は、収集した情報を、望ましくは管理サーバ５０の運用事業者で独自に調査し取得した水質に係る実測値等のデータも含めて解析し、前記上水に対する水処理器での水処理（電解）の難易度に関する指標データを取得し、これを他のデータ（例えば、地域の天候情報や特記事項等）と合わせて前記所定地域の給水関連情報（図６参照）として記録、蓄積する。そして、こうした地域ごとの給水関連情報を、対応する水処理器に送信するサービスを実行する。
【００３９】
この管理サーバ５０は、設置位置の異なる多数の水処理器に係る情報を、水処理器ごとにそれぞれ記録、蓄積しており、多数の水処理器について対応する給水関連情報の蓄積された各データをそれぞれ参照可能となっている。
【００４０】
また、管理サーバ５０は、水処理器１０が水処理を行うのに伴って、水処理器１０から中継装置５５を介して送信された水処理器１０の水処理に係る内部情報を受信し、この内部情報に基づいて水処理器での水処理（電解）の難易度に関する指標データを調整することで、実際に水処理器１０に供給され使用された水の状態を踏まえた給水関連情報とすることができる仕組みである。
【００４１】
なお、本実施形態をはじめとする本願で使用する「サーバ」の語は、必ずしも単独の装置を意味するものでなく、複数の装置がネットワーク接続されて協動して、要求される一又は複数のサービスを一体として提供する装置群である場合も包含する。
【００４２】
次に、本実施形態に係る水処理システムにおける管理部での情報処理、及び水処理器の作動について説明する。前提として、あらかじめ管理サーバ５０と水処理器１０はネットワーク１００を通じて通信可能な状態となっているものとする。
【００４３】
加えて、水処理器１０は、原水としての水道水を使用者の蛇口操作で適宜通水可能に設置配設され、また、浄水カートリッジや食塩、カルシウムの補充も適切になされ、電源投入状態とされると問題なく作動して、使用者に選択された所定の処理水を供給可能な状態にあるものとする。
【００４４】
使用者が水処理器１０を設置し、電源を投入した最初の機会で、水処理器１０はその測位部２５で水処理器の設置位置を検出又は設定し、この位置情報を水処理器１０の制御部２０が通信手段２２によりネットワークを通じて管理サーバ５０に送信する（図５参照）。
【００４５】
管理サーバ５０は、水処理器１０からの位置情報を受信すると、受信したデータに含まれる水処理器１０の固有識別用情報から水処理器１０を識別し、これに対応する水処理器１０が既に登録されている場合は位置情報を以前に登録されたものと比較対照し、未登録の場合は、新規の水処理器として位置情報と共に登録する。既に登録されている水処理器について、新たに受信した位置情報が以前に登録されたものと異なる場合は、新たな位置情報に基づく位置をその水処理器の設置位置として更新登録する。
【００４６】
管理サーバ５０は、登録されている水処理器１０について、水処理器１０の設置位置に基づいて、この設置位置を含む所定地域内で水処理器１０に原水として送給可能な上水（水道水）の水質に係る各種情報を、既知のサイト又はロボット検索で新たに判明した情報掲載サイトから所定の時間間隔でネットワーク１００を通じて収集し、水処理器に対応する地域の給水関連情報として蓄積し、且つ、これらの情報を検証して、上水に対する水処理器での水処理（電解）の難易度に関する指標データを取得しておく。この水処理器での水処理の難易度に関する指標データを含む給水関連情報を地域ごとに記録蓄積し、対応する水処理器に送信可能な状態としておく。
【００４７】
水処理器１０のデータが管理サーバ５０に記録されている状態で、使用者が処理水を使用するために、水処理器１０に対し操作を行って水処理器１０を水処理可能に起動させると、水処理器１０から中継装置５５を介して管理サーバ５０に情報要求データが送信される。
【００４８】
管理サーバ５０は、情報要求データを受けたら、受信したデータに含まれる固有識別用情報から水処理器１０を識別し、この水処理器１０の設置位置に対応する給水関連情報を読み出す。この時の給水関連情報は、望ましくは前記位置情報により特定された地域における現在時刻より前の所定期間における天気や降水量などのデータも含めて解析されたものとすれば、より適切な情報とすることができる。
【００４９】
また、管理サーバ５０は、特定された水処理器の設置位置に基づいて、当該位置の海抜高度や近隣の状況、地域の水道管の配設状況等の情報も入手できることから、これらの情報も利用すれば、給水関連情報はさらにその利用価値を高められる。そして、管理サーバ５０は、給水関連情報を水処理器１０に送信する（図７参照）。
【００５０】
水処理器１０の通信手段２２が、管理サーバ５０からの情報を受信すると、水処理器１０の制御部２０は、使用者により選択され、生成、供給を指示された処理水について、水処理器内部の各機構を作動させるにあたり、給水関連情報を参照して、処理水生成に係る制御パラメータを調整しつつ作動制御を実行する。
【００５１】
こうして水処理器１０が処理水を生成供給する際、この水供給の際における流量センサ１３で検出される流量や、通電に伴い取得される電気伝導率等の実測データが、処理水の種類の情報などと共に、制御部２０によりこの水処理に係る内部情報として、通信手段２２によりネットワーク１００を介して管理サーバ５０に送信される（図８参照）。管理サーバ５０では、こうした水処理器の内部情報を受け取ると、対応する水処理器ごとに記録する。
【００５２】
そして、管理サーバ５０は、給水関連情報（例えば、電気伝導率）と水処理器での水処理時の対応する実測データ（電気伝導率）との間に差異が見られ、この差異が所定の許容範囲を超えて大きく、適切な処理水が得られていないおそれがあると判断した場合は、水処理器１０での制御内容の設定に影響を与える、給水関連情報、特に、水処理の難易度に関する指標データを調整し、より精度の高いものとする。
【００５３】
このようにして得られた給水関連情報は、上水の供給元を同じくする所定地域内で使用される同等製品である他の水処理器にも活用でき、更には収集されたデータを地域別の水に関連する情報として蓄積し、新たなビジネスに展開することもできる。
【００５４】
使用者の処理水使用が終了し、使用者が蛇口を操作して水処理器への通水を終了させると、中継装置５５を介しての水処理器１０と管理サーバ５０との通信も一旦終了することとなる。
【００５５】
使用者又は水処理器の設置作業者が、水処理器で処理水を生成した後、得られた処理水について水質測定を行い、その測定結果としての処理水の水質に係る情報（ｐＨなど）を携帯通信端末等に入力して、これらを介して情報を管理サーバ５０に送信することができる（図９参照）。この場合、管理サーバ５０は、水処理器１０で処理した処理水の水質に係る情報を受信すると、情報に含まれる識別用情報から処理水の処理元の水処理器１０を識別し、水処理器ごとに記録する。
【００５６】
続いて、管理サーバ５０は、得られた処理水の水質に係る情報と、水質測定の対象となった水処理器１０の直前の水処理の際に、水処理器１０から内部情報として取得した、処理水の水質の制御目標値、及びこれを目指す給水関連情報に基づく制御内容と比較検証して、水質の制御目標値と実際に検出された処理水の水質データとの間の差異が所定の許容範囲を超えて大きく、適切な処理水が得られていない状況にあると判断した場合は、制御目標値と現実の処理水の水質との差異ができるだけ小さくなるように、管理サーバ５０は、水処理器１０で処理水水質の制御目標値を得るための制御内容の設定に影響を与える、給水関連情報、特に、水処理の難易度に関する指標データを調整する。
【００５７】
具体的には、例えば、処理水がアルカリ水の場合で、ｐＨの制御目標値に対し、処理水の水質測定を行って水質に係る情報として得られた処理水のｐＨの値が大きい（アルカリ性が強い）際には、当初想定より水処理（電解）が過進行した、すなわち、原水の水処理の難易度を高めに見積もった（過度に困難と見なした）と判断して、管理サーバ５０では、給水関連情報における水処理の難易度の指標データを、難易度が一又は複数段階低いものに調整することとなる。また、同じく処理水がアルカリ水の場合で、ｐＨの制御目標値に対し、処理水の水質に係る情報として得られたｐＨの値が小さい（アルカリ性が弱い）際には、当初想定より水処理（電解）が進んでいない、すなわち、原水の水処理の難易度を低めに見積もった（過度に容易と見なした）と判断して、管理サーバ５０では、給水関連情報における水処理の難易度の指標データを、難易度が一又は複数段階高いものに調整することとなる。
そして、管理サーバ５０は、調整後の新たな給水関連情報を、以降の水処理の際にネットワーク１００を通じて水処理器１０に送信することとなる。
【００５８】
こうして、給水関連情報を用いて水処理器１０が原水を処理した結果としての、実際に測定した処理水の水質のデータを管理サーバ５０に送信し、管理サーバ５０でこの水質データに基づいて水処理器に対応する給水関連情報を調整するようにし、制御目標値と実際の処理水の水質との差に基づいて、水処理の難易度の指標データをより精度の高いものとすることで、水処理器１０では新たに導入した給水関連情報に基づいて、上水の水質に係る情報を取得した箇所から様々な影響により水処理器の設置位置に達するまでに変化しうる上水の水質に対し、この上水すなわち原水の水質に適応した電解処理を行って水処理を進められることとなり、水質の目標値に実際の処理水の水質をより一層近づけて、使用者の求める水質の処理水を適切に提供でき、使用者の安心感を高められると共に、水処理の信頼性を向上させられる。
【００５９】
この場合も、上水の供給元を同じくする所定地域内で使用される同等製品である他の水処理器にも活用でき、更には収集されたデータを地域別の水に関連する情報として蓄積し、新たなビジネスに展開することもできる。特にこの実施例の場合、使用者や設置者が設置現場で実際に水質を測定して得られた精度の高いデータを入手することができるので、水に関連する情報としての価値が高い。
【００６０】
このように、本実施形態に係る水処理システムは、水処理器１０と通信可能な管理サーバ５０で、水処理器１０の設置位置をあらかじめ把握した上で、水処理器１０に供給される原水の様々な影響により変化する水質について、水処理器１０設置位置を含む所定地域ごとの上水の水質に係る情報を含む、水質に影響を与えうる要素の情報を収集して、水処理の難易度の指標データを取得し、これを含む給水関連情報を水処理器１０に送信して、水処理器１０で原水からの実測で得られる情報と共に、この給水関連情報を踏まえて水処理を行うことから、管理サーバ５０で把握可能な範囲で、種々の影響を受けて変化すると推測される原水の水質に対応して水処理器１０で水処理を進められ、水処理器１０で処理水として要求される水質の制御目標値に、実際の処理水の水質をできる限り近づけることができ、所望の水質の処理水を得やすくなると共に、効率よく水処理を実行できる分、水処理のコストダウンが図れる。
【００６１】
なお、前記実施形態に係る水処理システムにおいては、水処理器１０の測位部２５で設置位置を検出し、位置情報を水処理器から管理サーバ５０へ送信することで、管理サーバ５０は水処理器の設置位置の情報を取得する構成としているが、これに限らず、水処理器の設置位置である使用者の住所に係る郵便番号等の位置情報を、水処理器に設けた入力手段を通じて使用者又は水処理器を設置した作業者により入力させて、水処理器で位置情報を得て、水処理器から管理サーバ５０に送信可能とする構成とすることもできる。また、水処理器の設置位置の情報を従来同様の登録ハガキ等の返信で管理サーバ５０の管理者が入手し、水処理器の設置位置情報を管理サーバ５０に入力して水処理器ごとの登録を行うようにすることもできる。
【００６２】
この他、使用者又は水処理器を設置した作業者の携帯通信端末から端末のＧＰＳ機能で得た位置情報を管理サーバ５０に送信させ、管理サーバ５０で、受信した携帯通信端末の端末位置情報を水処理器の設置位置の情報として水処理器ごとに記録するようにしてもかまわない。また、使用者又は水処理器を設置した作業者の携帯通信端末で、水処理器の設置位置情報として使用者住所の郵便番号を入力させ、入力された位置情報を携帯通信端末から管理サーバ５０へ送信させて、管理サーバ５０で受信した位置情報を水処理器の設置位置の情報として記録する構成とすることもできる。
【００６３】
また、前記実施形態に係る水処理システムにおいて、管理サーバ５０は水処理器１０の設置位置に基づいて、この設置位置を含む所定地域内で水処理器１０に原水として送給可能な上水（水道水）の水質に係る各種情報を収集、蓄積し、これらの情報から上水に対する水処理器での水処理（電解）の難易度に関する指標データを取得して、この指標データを含む給水関連情報を対応する水処理器に送信する構成としているが、所定の水処理器１０についての水処理の難易度に関する指標データを取得するにあたっては、浄水場など上水の供給系統を同じくする地域に含まれる他の水処理器の情報を参照することもでき、特に、同じ地域における他の水処理器の水処理時の水質目標値と実際の処理水の水質測定結果とを比較検証した情報からその地域の水質を精度よく推測できることとなり、水処理の難易度に関する指標データの調整を適切に実行できる。
【００６４】
さらに、管理サーバ５０が、水処理器１０の設置位置を含む所定地域内で水処理器１０の原水とされる上水の水質に係る各種情報を収集するにあたり、基本となる上水供給元（水道事業者）の公表する水質検査データに特に変化がない中で、収集データに基づく給水関連情報（例えば、電気伝導率）と水処理器での水処理時の対応する実測データ（電気伝導率）や処理水の測定データとの間に変化が見られる場合に、水源や浄水場近傍での数日前の天気や降水、水源近くでの大規模な土木工事の有無、あるいは浄水場から水処理器設置位置までの水道管路系統での出水又は断水を伴う工事の有無といった情報が得られている場合は、それらの影響で生じた可能性のある水質変化として記録し、多数の水処理器についてそのような事例を互いに参照可能に蓄積しておくことで、ある水処理器について新たに水質に影響を与えるような事象が生じた時に、水質への影響の出方を多数の既存データから推測して給水関連情報を調整することができ、水処理器の水質目標値に合わせる制御を地域で発生し得る様々な事象に対応したものとして、適切な処理水を生成できることとなる。
【００６５】
（本発明の第２の実施形態）
本発明の第２の実施形態に係る水処理システムを、前記図１０ないし図１４に基づいて説明する。本実施形態においても、水処理器として、原水に対する電解処理によりアルカリ水等を生成する整水器を使用する例について説明する。
【００６６】
本実施形態に係る水処理システム２は、前記第１の実施形態同様、水処理器１０と、管理サーバ５０とを備える一方、異なる点として、水処理器１０が、ネットワーク１００に接続してデータを送受信可能とされる使用者の携帯通信端末６０を介して、ネットワーク１００を通じた管理サーバ５０との情報のやり取りを行う構成を有するものである。
なお、本実施形態の水処理システムにおける水処理器１０及び管理サーバ５０については、前記第１の実施形態とほぼ同様の構成であり、詳細な説明を省略する。
【００６７】
ただし、水処理器１０は、前記第１の実施形態のものと異なる点として、水処理器１０の設置位置を検出する測位機能を有しておらず、また、制御部２０の通信手段２２は、携帯通信端末６０の送信したデータを受信すると共に携帯通信端末６０へデータを送信するものとなっている。
【００６８】
この通信手段２２は、水処理器１０の所定距離以内に近付いた携帯通信端末６０との通信を可能にするものであり、この携帯通信端末６０と通信可能な状態にある間、携帯通信端末６０より送信される管理サーバ５０からの給水関連情報のデータを受信する一方、処理水供給の際には、流量センサ１３で測定した水の流量や、水への通電に伴って取得した水の電気伝導率や電解電流値といった実測データを、設定された処理水の水質目標値などと共に、電解制御に係る内部情報として、一旦携帯通信端末６０に向け送信して、携帯通信端末６０を介して管理サーバ５０に送るようにしている。携帯通信端末６０との通信は、ISO/IEC 18092等の規格方式による近距離無線通信や、例えばIEEE 802.11シリーズやIEEE 802.15シリーズの規格方式等による無線通信として行われる。
【００６９】
この他、通信手段２２により、水処理器１０の設置状態で、通信可能となった携帯通信端末６０に対し、携帯通信端末６０の測位手段６６で得られる端末位置情報を管理サーバ５０に送信させる指示が送信される仕組みである。
【００７０】
前記携帯通信端末６０は、表示デバイス６１及び入力デバイス６２を備え、携帯電話網及び／又はデータ通信網と接続して通信する機能を有する携帯電話やいわゆるスマートフォン、タブレット型端末、ＰＤＡ（携帯情報端末）などの公知の装置であり、このうち、端末上でアプリケーションプログラムを実行可能であり、且つ、携帯電話網及び／又はデータ通信網への接続用の無線通信手段６３とは別の、水処理器１０の通信手段２２と無線通信する通信接続手段６４と、表示デバイス６１で表示する情報内容に係るデータを保持可能な記憶手段６５と、この端末の位置をＧＰＳの機能により検出する測位手段６６とを有するものである。携帯通信端末６０は、タッチパネル式の表示デバイス６１を有して、表示デバイスが入力デバイス６２を兼ねる構成である。
【００７１】
この携帯通信端末６０は、水処理器１０に対し、使用者による表示デバイス６１上の情報表示内容の視認と水処理器１０の操作が共に可能となる、所定距離以内に互いに近付いた位置関係をなす状態で、水処理器１０との間に一対一の通信状態を確立して、データを送受信可能とされる構成である。また、携帯通信端末６０は、無線通信手段６３並びに前記携帯電話網及び／又はデータ通信網を通じてネットワーク１００に接続可能とされ、管理サーバ５０に対しネットワーク１００を介してデータ送受信を行える構成である。
【００７２】
そして、携帯通信端末６０は、水処理支援用のプログラムを実行することで、水処理器１０に対応する給水関連情報を、管理サーバ５０からダウンロードし、必要に応じ表示デバイス６１でその情報表示を実行可能としつつ、そのままデータを水処理器１０に送信する機能を有する。
【００７３】
携帯通信端末６０を介した管理サーバ５０から水処理器１０への給水関連情報提供の具体的手順としては、まず、水処理器１０が起動して所定の処理水を供給可能に待機すると共に、携帯通信端末６０が水処理器１０と通信可能で且つ水処理器１０で所定の処理水供給が可能とされたタイミングで、給水関連情報をダウンロードするための情報要求データがネットワーク１００を介して管理サーバ５０に送信される。そして、管理サーバ５０で、この情報要求データに対応して、水処理器１０に対応して収集蓄積された原水の水質に係る情報から得られた給水関連情報が携帯通信端末６０に送信される仕組みである。
【００７４】
携帯通信端末６０は、管理サーバ５０より送信された、給水関連情報を受信し、必要に応じこの給水関連情報について、使用者に対し情報の表示を実行することとなる。受信された給水関連情報は、通信接続手段６４と水処理器１０の通信手段２２との間の通信により、データが水処理器１０に送信されて、水処理器１０での処理水の生成に利用される仕組みである。
【００７５】
携帯通信端末６０が、水処理器１０と通信可能な状況で、給水関連情報のデータを水処理器１０に送信すると、データを受信した水処理器１０の制御部２０は、このデータと原水についての実測により得たデータに基づいて、処理水生成に係る各種パラメータ（電圧、電流、通電時間等）を決定することとなる。こうして適切な処理水の生成が可能な状態とされた水処理器１０において、制御部２０が水処理器１０の各部を作動させて、選択指示された処理水の生成、供給を水処理器１０で行える仕組みである。
【００７６】
この他に、水処理器１０への原水（水道水）の通水状態を切り替える蛇口３０を自動開閉可能として、水処理器１０の制御部２０が、生成する処理水を選択する操作がなされた際に、給水関連情報を受け取り、水処理器１０の各部を処理水に対応した作動状態とすることに加えて、蛇口３０も自動で開放して通水を行うようにして、処理水の生成、供給を、使用者の蛇口操作を介さずに自動実行する構成とすることもできる。
【００７７】
一方、水処理器１０が処理水を生成、供給する場合、水処理器１０における水処理に係る実測データ（流量、電気伝導率、電解電流値など）や供給した処理水の種類などを含む内部情報が、制御部２０の通信手段２２から携帯通信端末６０に送信される仕組みである。携帯通信端末６０は、この水処理器１０の内部情報を受取り、これらの情報を無線通信手段６３で管理サーバ５０に向け送信する機能を有する。
【００７８】
次に、本実施形態に係る水処理システムにおける管理部での情報処理、及び水処理器の作動について説明する。前提として、あらかじめ携帯通信端末６０に情報提供用のプログラムが格納され、自動的に起動されるか、使用者の操作により起動されて、既に携帯通信端末６０上で実行状態となっているものとする。また、携帯通信端末６０は、処理水供給を行わせる対象の水処理器１０の通信可能領域内では、問題なく水処理器１０と無線通信可能な状態にあるものとする。
【００７９】
加えて、水処理器１０は、原水としての水道水を使用者の蛇口操作で適宜通水可能に設置配設され、また、浄水カートリッジや食塩、カルシウムの補充も適切になされ、電源投入状態とされると問題なく作動して、使用者に選択された所定の処理水を供給可能な状態にあるものとする。
【００８０】
使用者が水処理器１０の電源を投入すると、水処理器１０の制御部２０が通信手段２２を介して通信可能な状態となり、通信手段２２から水処理器１０の機種ごとに固有の識別情報等を含む所定の信号の送信を開始する。
【００８１】
使用者が携帯通信端末６０を水処理器１０に近付け、水処理器１０の通信手段２２の通信可能領域に位置させると、携帯通信端末６０は水処理器１０と通信可能な状態となる。この携帯通信端末６０が、水処理器１０の通信手段２２からの信号を受信すると、この信号を通信対象の水処理器１０のものと識別して、通信手段２２と携帯通信端末６０との通信を許可して通信接続を確立する。
【００８２】
携帯通信端末６０と水処理器１０との通信接続が確立すると、携帯通信端末６０の表示デバイス６１に、水処理器１０と携帯通信端末６０が通信可能状態となった旨が必要に応じ表示される。そして、通信接続が確立した最初の機会に携帯通信端末６０の測位手段６６で端末位置が検出され、取得された位置情報が水処理器１０の識別情報と共に管理サーバ５０へ送信されることとなる（図１１参照）。
【００８３】
なお、ある携帯通信端末６０と水処理器１０との無線通信が確立されたら、その後は使用者の水処理器１０操作に基づいた水処理器１０での処理水の生成と、それに伴う水処理器１０と携帯通信端末６０との間の通信に係る処理が終了するまで、水処理器１０は、他の携帯通信端末６０（又は近距離通信で連携する機器）からの送信があっても受付けず、水処理器１０と通信を行う携帯通信端末を一台に限定して混線を防止するようにしている。
【００８４】
管理サーバ５０は、水処理器１０の識別情報及び位置情報を受信すると、受信したデータに含まれる水処理器１０の識別情報から水処理器１０を識別し、これに対応する水処理器１０が既に登録されている場合は位置情報を以前に登録されたものと比較対照し、未登録の場合は、新規の水処理器として位置情報と共に登録する。既に登録されている水処理器について、新たに受信した位置情報が以前に登録されたものと異なる場合は、新たな位置情報に基づく位置をその水処理器の設置位置として更新登録する。
【００８５】
管理サーバ５０は、登録されている水処理器１０について、前記第１の実施形態同様、水処理器１０の設置位置に基づいて、この設置位置を含む所定地域内で水処理器１０に原水として送給可能な上水（水道水）の水質に係る各種情報を、所定の時間間隔でネットワーク１００を通じて収集、蓄積し、且つ、これらの情報を検証して、上水に対する水処理器での水処理（電解）の難易度に関する指標データを取得する。そして、この水処理器での水処理の難易度に関する指標データを含む給水関連情報を地域ごとに記録蓄積し、対応する水処理器に送信可能な状態とする。
【００８６】
こうして水処理器１０のデータが管理サーバ５０に記録されている状態で、使用者が処理水を使用するために、水処理器１０に対し操作を行って水処理器１０を水処理可能に起動させると、水処理器１０から携帯通信端末６０に通信要求が送信され、給水関連情報を受け取るために、携帯通信端末６０は、情報要求データを管理サーバ５０に送信する。
【００８７】
管理サーバ５０は、情報要求データを受けたら、受信したデータに含まれる固有識別用情報から携帯通信端末６０を識別し、これに対応付けてあらかじめ登録された水処理器に対応する給水関連情報を読み出し、この給水関連情報を携帯通信端末６０に送信する。
【００８８】
携帯通信端末６０は、管理サーバ５０からの情報を受信すると、必要に応じて、表示デバイス６１に、この給水関連情報の一部又は全部を表示する。同時に、携帯通信端末６０は、給水関連情報を水処理器１０に送信する（図１２参照）。
【００８９】
水処理器１０の通信手段２２が、携帯通信端末６０からのデータを受信すると、水処理器１０の制御部２０は、使用者により選択され、生成、供給を指示された処理水について、制御部２０が水処理器内部の各機構を作動させるにあたり、給水関連情報を参照して、処理水生成に係る制御パラメータを調整しつつ作動制御を実行する。
【００９０】
こうして水処理器１０が処理水を生成供給する際、この水供給の際における流量センサ１３で検出される流量や、通電に伴い取得される電気伝導率等の実測データが、処理水の種類の情報などと共に、制御部２０によりこの水処理に係る内部情報として、通信手段２２により携帯通信端末６０へ送信される。携帯通信端末６０は、水処理器１０からの内部情報を受信すると、これらの情報をネットワーク１００を介して管理サーバ５０に送信する（図１３参照）。管理サーバ５０では、こうした水処理器の内部情報を受け取ると、対応する水処理器ごとに記録する。
【００９１】
そして、管理サーバ５０は、給水関連情報（例えば、電気伝導率）と水処理器での水処理時の対応する実測データ（電気伝導率）との間に差異が見られ、この差異が所定の許容範囲を超えて大きく、適切な処理水が得られていないおそれがあると判断した場合は、前記第１の実施形態同様、給水関連情報、特に、水処理の難易度に関する指標データを調整し、より精度の高いものとする。
【００９２】
使用者の処理水使用が終了すると、使用者は蛇口を操作して水処理器への通水を終了させる。そして、使用者が携帯通信端末６０を水処理器１０から離して移動すると、携帯通信端末６０と水処理器１０との通信状態も終了することとなる。携帯通信端末６０は、これを水処理器１０に近付ける前と同様、水処理器１０と通信可能な状態に至る前の、水処理器１０との通信を待機する状態に移行する。
【００９３】
水処理の後、使用者が処理水について水質測定を行い、その測定結果としての処理水の水質に係る情報（ｐＨなど）を携帯通信端末６０に入力して、これを介して情報を管理サーバ５０に送信することができる（図１４参照）。この場合、管理サーバ５０は、水処理器１０で処理した処理水の水質に係る情報を受信すると、情報に含まれる識別用情報から処理水の処理元の水処理器１０を識別し、水処理器ごとに記録する。
【００９４】
続いて、管理サーバ５０は、得られた処理水の水質に係る情報と、水質測定の対象となった水処理器１０の直前の水処理の際に、水処理器１０から内部情報として取得した、処理水の水質の制御目標値、及びこれを目指す給水関連情報に基づく制御内容と比較検証して、水質の制御目標値と実際に検出された処理水の水質データとの間の差異が所定の許容範囲を超えて大きく、適切な処理水が得られていない状況にあると判断した場合は、前記第１の実施形態同様、制御目標値と現実の処理水の水質との差異ができるだけ小さくなるように、管理サーバ５０は、水処理器１０で処理水水質の制御目標値を得るための制御内容の設定に影響を与える、給水関連情報、特に、水処理の難易度に関する指標データを調整することとなる。
そして、管理サーバ５０は、調整後の新たな給水関連情報を、以降の水処理の際にネットワーク１００から携帯通信端末６０を介して水処理器１０に送信することとなる。
【００９５】
このように、本実施形態に係る水処理システムは、水処理器１０近傍で水処理器１０と通信を行う携帯通信端末６０の位置をその測位手段６６で検出し、位置情報を管理サーバ５０に送信して、管理サーバ５０が携帯通信端末６０の位置情報を対応する水処理器１０の位置情報として水処理器ごとに記録することから、使用者の水処理器１０の位置登録に係る作業の手間が省けると共に、水処理器１０に測位手段を設けずに済み、構造を簡略化して水処理器１０のコストを抑えられる。また、携帯通信端末６０に元々備えられた測位機能を利用することで、管理サーバ５０への位置情報送信の自動化も図れることとなり、使用者の作業負担を必要とせずに、水処理器１０の設置位置を含む地域の上水の水質を正しく給水関連情報に反映させられ、使用者の望んだ適切な処理水を確実に供給できる。
【００９６】
なお、前記各実施形態に係る水処理システムにおいては、水処理器における水処理の後、使用者や設置作業者等が処理水について水質測定を行い、得られた測定結果（処理水の水質に係る情報）を携帯通信端末等に入力した上で、これら情報を管理部５０に送信して、管理部５０で利用できるようにする構成としているが、この他、水処理器が、処理水の水質を検出する処理後検出手段、具体的には水処理器に内蔵されるセンサ、を有して、この処理後検出手段で検出した処理水の水質に係る情報を、水処理器からそのまま又は携帯通信端末６０経由で、ネットワーク１００を通じて管理部５０へ送信する構成とすることもできる。この場合、処理水の水質が自動的に検出され、且つ得られた情報が自動的に送信されることで、使用者等の処理水に対する水質測定や測定結果の入力送信に係る作業の手間が省けると共に、使用者が処理水の水質測定を積極的に行わないような場合でも、水処理器に供給される原水の水質を正しく給水関連情報に反映させられ、適切な処理水をより確実に供給することができる。
【符号の説明】
【００９７】
１、２            水処理システム
１０              水処理器
１０ａ            装置筐体
１０ｂ            電源部
１１              給水管
１２              浄水部
１２ａ            浄水カートリッジ
１３              流量センサ
１４ａ            食塩添加筒
１４ｂ            カルシウム添加筒
１５              流路切替部
１６              電解槽
１６ａ            第１電極板
１６ｂ            第２電極板
１６ｃ            第３電極板
１７ａ            吐水流路
１７ｂ            排出流路
１８              表示画面部
１９              操作部
２０              制御部
２１              記憶部
２２              通信手段
２５              測位部
３０              蛇口
５０              管理サーバ
５５              中継装置
６０              携帯通信端末
６１              表示デバイス
６２              入力デバイス
６３              無線通信手段
６４              通信接続手段
６５              記憶手段
６６              測位手段
１００            ネットワーク
【図１】
2018051497.tif 000003
【図２】
2018051497.tif 000004
【図３】
2018051497.tif 000005
【図４】
2018051497.tif 000006
【図５】
2018051497.tif 000007
【図６】
2018051497.tif 000008
【図７】
2018051497.tif 000009
【図８】
2018051497.tif 000010
【図９】
2018051497.tif 000011
【図１０】
2018051497.tif 000012
【図１１】
2018051497.tif 000013
【図１２】
2018051497.tif 000014
【図１３】
2018051497.tif 000015
【図１４】
2018051497.tif 000016